(57)【要約】【課題】画像処理を実行する際のユーザの負担を軽減することができる技術を提供することを目的とする。【解決手段】画像を読み取る画像読み取り部によるオーダーシートの読み取り結果に基づいて対象画像領域に対する書き込みを表す領域指定情報を検出し、検出された領域指定情報に従って対象画像中の対象領域を特定し、対象領域の画像種類を判定し、判定された画像種類毎に異なる画像処理を対象領域に対して実行する。【選択図】図２
2009081631.tif 000002
【特許請求の範囲】
【請求項１】
対象画像を表す対象画像データを処理する画像処理装置であって、
画像を読み取る画像読み取り部と、
画像を印刷する印刷部と、
前記対象画像を表す対象画像領域を含むオーダーシートを前記印刷部に印刷させるオーダーシート作成部と、
前記印刷されたオーダーシートの、前記画像読み取り部による読み取り結果に基づいて前記対象画像領域に対する書き込みを表す領域指定情報を検出するとともに、前記検出された領域指定情報に従って前記対象画像中の対象領域を特定するオーダーシート読み取り部と、
前記対象領域の画像種類を判定する領域判定部と、
前記判定された画像種類毎に異なる画像処理を前記対象領域に対して実行する画像処理部と、
を備える、画像処理装置。
【請求項２】
請求項１に記載の画像処理装置であって、
前記オーダーシートは、書き込みによって前記画像処理の設定を指定する設定領域を含み、
前記オーダーシート読み取り部は、前記設定領域に対する書き込みを表す設定指定情報を検出するとともに、前記検出された設定指定情報に従って前記画像処理の設定を特定し、
前記画像処理部は、前記特定された前記画像処理の設定に従って前記画像処理を実行する、
画像処理装置。
【請求項３】
請求項２に記載の画像処理装置であって、
前記領域判定部は、前記対象領域の画像種類を、第１画像種類と第２画像種類とを含む複数の画像種類のいずれかと判定し、
前記画像処理部は、前記検出された設定指定情報が表す１つの設定項目の設定に従って、前記第１画像種類に対する第１画像処理で利用される第１パラメータと、前記第２画像種類に対する第２画像処理で利用される第２パラメータとを決定する、
画像処理装置。
【請求項４】
請求項１ないし請求項３のいずれかに記載の画像処理装置であって、
前記オーダーシート作成部は、前記対象画像データによって表される色を、所定の除外色範囲を除く残りの色範囲内の色に変換することによって、前記オーダーシート上の前記対象画像の色を決定し、
前記オーダーシート読み取り部は、前記オーダーシートの読み取り結果において前記オーダーシート上の前記対象画像の色とは異なる色で表された情報を前記領域指定情報として検出する、
画像処理装置。
【請求項５】
請求項１ないし請求項４のいずれかに記載の画像処理装置であって、
前記オーダーシート読み取り部は、前記対象画像領域に書き込まれた閉曲線を表す情報を前記領域指定情報として検出し、前記検出された閉曲線によって囲まれる領域を前記対象領域として特定する、
画像処理装置。
【請求項６】
請求項１ないし請求項５のいずれかに記載の画像処理装置であって、
前記印刷部は、前記画像処理部による画像処理が実行された画像データを利用して印刷を実行する、画像処理装置。
【請求項７】
対象画像を表す対象画像データを処理する画像処理方法であって、
前記対象画像を表す対象画像領域を含むオーダーシートを印刷部に印刷させる工程と、
前記印刷されたオーダーシートの、画像を読み取る画像読み取り部による読み取り結果に基づいて、前記対象画像領域に対する書き込みを表す領域指定情報を検出する工程と、
前記検出された領域指定情報に従って前記対象画像中の対象領域を特定する工程と、
前記対象領域の画像種類を判定する工程と、
前記判定された画像種類毎に異なる画像処理を前記対象領域に対して実行する工程と、
を含む、画像処理方法。
【請求項８】
対象画像を表す対象画像データを処理するためのコンピュータプログラムであって、
前記対象画像を表す対象画像領域を含むオーダーシートを印刷部に印刷させる機能と、
前記印刷されたオーダーシートの、画像を読み取る画像読み取り部による読み取り結果に基づいて、前記対象画像領域に対する書き込みを表す領域指定情報を検出する機能と、
前記検出された領域指定情報に従って前記対象画像中の対象領域を特定する機能と、
前記対象領域の画像種類を判定する機能と、
前記判定された画像種類毎に異なる画像処理を前記対象領域に対して実行する機能と、
をコンピュータに実現させるコンピュータプログラム。
【発明の詳細な説明】
【技術分野】
【０００１】
本発明は、画像処理装置、方法、および、プログラムに関するものである。
【背景技術】
【０００２】
従来より、種々の画像処理技術が知られている。例えば、マークペンにより記入されたマークの色に対応した画像処理の内容を選択する技術や、ディスプレイ上に表示された画像に対してユーザが範囲指定した領域を処理に利用する技術が知られている。
【０００３】
【特許文献１】特開平６−２７６３５８号公報
【特許文献２】特開２００７−２８３５８号公報
【０００４】
ところが、マークの色の使い分けやディスプレイ上での領域指定には煩雑な操作が要求される場合が多い。これらの結果、ユーザの負担が大きくなる場合が多かった。
【発明の開示】
【発明が解決しようとする課題】
【０００５】
本発明は、上記の課題の少なくとも一部を解決するためになされたものであり、画像処理を実行する際のユーザの負担を軽減することができる技術を提供することを目的とする。
【課題を解決するための手段】
【０００６】
本発明は、上述の課題の少なくとも一部を解決するためになされたものであり、以下の形態又は適用例として実現することが可能である。
【０００７】
［適用例１］対象画像を表す対象画像データを処理する画像処理装置であって、画像を読み取る画像読み取り部と、画像を印刷する印刷部と、前記対象画像を表す対象画像領域を含むオーダーシートを前記印刷部に印刷させるオーダーシート作成部と、前記印刷されたオーダーシートの、前記画像読み取り部による読み取り結果に基づいて前記対象画像領域に対する書き込みを表す領域指定情報を検出するとともに、前記検出された領域指定情報に従って前記対象画像中の対象領域を特定するオーダーシート読み取り部と、前記対象領域の画像種類を判定する領域判定部と、前記判定された画像種類毎に異なる画像処理を前記対象領域に対して実行する画像処理部と、を備える、画像処理装置。
【０００８】
この構成によれば、対象画像領域に対する書き込みを表す領域指定情報に従って対象画像中の対象領域が特定され、対象領域の画像種類が判定され、判定された画像種類毎に異なる画像処理が対象領域に対して実行されるので、画像処理を実行する際のユーザの負担を軽減することができる。
【０００９】
［適用例２］適用例１に記載の画像処理装置であって、前記オーダーシートは、書き込みによって前記画像処理の設定を指定する設定領域を含み、前記オーダーシート読み取り部は、前記設定領域に対する書き込みを表す設定指定情報を検出するとともに、前記検出された設定指定情報に従って前記画像処理の設定を特定し、前記画像処理部は、前記特定された前記画像処理の設定に従って前記画像処理を実行する、画像処理装置。
【００１０】
この構成によれば、オーダーシートに対する書き込みに従って、画像処理の設定が決定されるので、ユーザの負担を更に軽減することができる。
【００１１】
［適用例３］適用例２に記載の画像処理装置であって、前記領域判定部は、前記対象領域の画像種類を、第１画像種類と第２画像種類とを含む複数の画像種類のいずれかと判定し、前記画像処理部は、前記検出された設定指定情報が表す１つの設定項目の設定に従って、前記第１画像種類に対する第１画像処理で利用される第１パラメータと、前記第２画像種類に対する第２画像処理で利用される第２パラメータとを決定する、画像処理装置。
【００１２】
この構成によれば、設定指定情報が表す１つの設定項目の設定に従って、第１画像種類のための第１パラメータと第２画像種類のための第２パラメータとの両方が決定されるので、ユーザの負担を更に軽減することができる。
【００１３】
［適用例４］適用例１ないし適用例３のいずれかに記載の画像処理装置であって、前記オーダーシート作成部は、前記対象画像データによって表される色を、所定の除外色範囲を除く残りの色範囲内の色に変換することによって、前記オーダーシート上の前記対象画像の色を決定し、前記オーダーシート読み取り部は、前記オーダーシートの読み取り結果において前記オーダーシート上の前記対象画像の色とは異なる色で表された情報を前記領域指定情報として検出する、画像処理装置。
【００１４】
この構成によれば、対象画像領域に表された対象画像から、対象画像領域に書き込まれた領域指定情報を区別することが容易であるので、ユーザは、容易に対象画像と領域指定情報とを区別することができる。
【００１５】
［適用例５］適用例１ないし適用例４のいずれかに記載の画像処理装置であって、前記オーダーシート読み取り部は、前記対象画像領域に書き込まれた閉曲線を表す情報を前記領域指定情報として検出し、前記検出された閉曲線によって囲まれる領域を前記対象領域として特定する、画像処理装置。
【００１６】
この構成によれば、対象画像領域に書き込まれた閉曲線によって囲まれる領域が対象領域として採用されるので、ユーザは、容易に対象画像の上に領域指定情報を書き込むことができる。
【００１７】
［適用例６］適用例１ないし適用例５のいずれかに記載の画像処理装置であって、前記印刷部は、前記画像処理部による画像処理が実行された画像データを利用して印刷を実行する、画像処理装置。
【００１８】
［適用例７］対象画像を表す対象画像データを処理する画像処理方法であって、前記対象画像を表す対象画像領域を含むオーダーシートを印刷部に印刷させる工程と、前記印刷されたオーダーシートの、画像を読み取る画像読み取り部による読み取り結果に基づいて、前記対象画像領域に対する書き込みを表す領域指定情報を検出する工程と、前記検出された領域指定情報に従って前記対象画像中の対象領域を特定する工程と、前記対象領域の画像種類を判定する工程と、前記判定された画像種類毎に異なる画像処理を前記対象領域に対して実行する工程と、を含む、画像処理方法。
【００１９】
［適用例８］対象画像を表す対象画像データを処理するためのコンピュータプログラムであって、前記対象画像を表す対象画像領域を含むオーダーシートを印刷部に印刷させる機能と、前記印刷されたオーダーシートの、画像を読み取る画像読み取り部による読み取り結果に基づいて、前記対象画像領域に対する書き込みを表す領域指定情報を検出する機能と、前記検出された領域指定情報に従って前記対象画像中の対象領域を特定する機能と、前記対象領域の画像種類を判定する機能と、前記判定された画像種類毎に異なる画像処理を前記対象領域に対して実行する機能と、をコンピュータに実現させるコンピュータプログラム。
【００２０】
［適用例９］適用例１ないし適用例６のいずれかに記載の画像処理装置であって、前記画像読み取り部は、ユーザによって与えられた対象物を読み取ることによって、前記対象画像データを生成する、画像処理装置。
【００２１】
なお、本発明は、種々の形態で実現することが可能であり、例えば、画像処理方法および装置、それらの方法または装置の機能を実現するためのコンピュータプログラム、そのコンピュータプログラムを記録した記録媒体、等の形態で実現することができる。
【発明を実施するための最良の形態】
【００２２】
次に、この発明の実施の形態を実施例に基づいて以下の順序で説明する。
Ａ．第１実施例：
Ｂ．第２実施例：
Ｃ．第３実施例：
Ｄ．変形例：
【００２３】
Ａ．第１実施例：
図１は、本発明の一実施例としての画像処理装置を示す説明図である。この画像処理装置１００は、スキャナ２００と、プリンタ３００と、操作パネル４００と、制御部５００と、を含んでいる。スキャナ２００は、対象物（例えば、印刷物）を光学的に読み取って画像データを生成する装置である。本実施例では、スキャナ２００は、赤（Ｒ）、緑（Ｇ）、青（Ｂ）の３色成分で表された画像データを生成する。プリンタ３００は、与えられた印刷データに応じて画像を印刷する装置である。本実施例では、プリンタ３００は、シアン（Ｃ）、マゼンタ（Ｍ）、イエロ（Ｙ）、ブラック（Ｋ）を含む複数のインクを利用したカラー印刷を実行する。操作パネル４００は、ユーザからの種々の指示を受けるための複数のボタンを含んでいる。制御部５００は、ＣＰＵ６００とＲＡＭ７００とＲＯＭ８００とを含むコンピュータである。スキャナ２００とプリンタ３００と操作パネル４００とは、バスを介して制御部５００に接続されている。画像処理装置１００の動作は、制御部５００によって制御される。
【００２４】
制御部５００のＣＰＵ６００は、プログラムを実行することによって種々の機能を実現する。実現される機能は、プリンタ制御部６１０と、スキャナ制御部６２０と、画像処理部６３０と、オーダーシート読み取り部６４０と、領域判定部６５０と、オーダーシート作成部６６０とのそれぞれとしての機能を含んでいる。これらの処理部６１０〜６６０の機能を実現するためのプログラムは、予め、ＲＯＭ８００に格納されている。
【００２５】
ＲＡＭ７００は、ＣＰＵ６００によって利用される種々のデータを一時的に格納する。ＲＡＭ７００には、スキャナバッファ７１０と印刷用バッファ７２０とが設けられている。スキャナバッファ７１０は、スキャナ２００によって生成された画像データを格納する。印刷用バッファ７２０は、印刷に利用されるデータ（印刷データを含む）を格納する。
【００２６】
図２は、画像処理装置１００（図１）によって実行される画像処理の概略図である。この画像処理では、画像処理装置１００は、ユーザによって与えられた原稿ＰＭ（例えば、印刷物）のコピーを行う。スキャナ２００は、スキャンによって、原稿ＰＭを表す画像データＰＭＤを生成する。制御部５００は、画像データＰＭＤに対する画像処理によって処理済画像データＡＰＭＤを生成する。そして、制御部５００は、この処理済画像データＡＰＭＤによって表される出力画像ＰＭＣを、プリンタ３００に印刷させる。
【００２７】
また、画像処理装置１００は、出力画像ＰＭＣの印刷の前に、１枚のオーダーシートＯＳを印刷する。このオーダーシートＯＳには、背景画像ＢＰＭが印刷されている。この背景画像ＢＰＭは、スキャン画像データＰＭＤによって表される画像を、一部の色範囲の色（例えば、明るいシアン色）を利用して表している。ユーザは、このオーダーシートＯＳに対する書き込みによって、画像処理装置１００に指示を入力する。オーダーシートＯＳ上の書き込みは、スキャナ２００によって読み取られる。
【００２８】
画像処理装置１００は、ユーザによって「オーダーシートコピーモード」が選択された場合に、図２に示す画像処理を実行する。画像処理装置１００は、ユーザからの動作モードの選択指示を、操作パネル４００を介して受け取る。なお、動作モードの選択肢としては、他の種々のモードを採用可能である（例えば、オーダーシートを利用せずにコピーを行う「通常モード」）。
【００２９】
図３は、オーダーシート印刷処理の手順を示すフローチャートである。この処理は、図２に示す画像処理の最初に実行される。最初のステップＳ１００では、スキャナ制御部６２０（図１）は、スキャナ２００を制御することによって、原稿ＰＭをスキャンする。このスキャンは、ユーザの指示（例えば、図示しないスキャンボタンの押下）に応答して開始される。図４は、原稿ＰＭの一例を示す説明図である。この原稿ＰＭは、文字を表す２つの領域ＴＸＴ１、ＴＸＴ２と、写真を表す領域ＰＨとを含んでいる。
【００３０】
スキャナ制御部６２０（図１）は、スキャンによって、原稿ＰＭ（図２）を表すスキャン画像データＰＭＤを取得する。そして、スキャナ制御部６２０は、スキャン画像データＰＭＤをスキャナバッファ７１０に格納する。
【００３１】
次のステップＳ１１０では、オーダーシート作成部６６０（図１）が、スキャン画像データＰＭＤ（図２）に対する減色処理によって、背景画像データＢＰＭＤを生成する。この減色処理は、スキャン画像データＰＭＤによって表される色を、所定の除外色範囲を除く残りの色範囲内の色に変換する処理である。この減色処理は、背景画像ＢＰＭと背景画像ＢＰＭ上の書き込みとを区別するために行われる。
【００３２】
図５は、減色処理の概要を表すヒストグラムである。横軸は階調値を示し、縦軸は頻度を示している。減色処理によって、画像データの階調値分布は、図５（Ａ）−５（Ｅ）の順番に変化する。図５（Ａ）は、スキャン画像データＰＭＤのＲ、Ｇ、Ｂの各色成分の階調値分布を表している。最初に、オーダーシート作成部６６０は、スキャン画像データＰＭＤを、各画素の色が無彩色であるグレートーン画像データに変換する（図５（Ｂ））。この変換の方法としては、種々の方法を採用可能である。例えば、ＲとＢとの階調値を、Ｇの階調値と同じ値に設定すればよい。
【００３３】
次に、オーダーシート作成部６６０は、グレートーン画像データをシアンのモノトーン画像データに変換する。オーダーシート作成部６６０は、シアンの補色である赤（Ｒ）の階調値を変更せずに、Ｇ、Ｂの階調値を所定値（例えば、最大値）に設定する（図５（Ｃ））。そして、オーダーシート作成部６６０は、シアンのモノトーン画像データのＲ成分の階調値分布を平坦化する（図５（Ｄ））。平坦化の方法としては、種々の方法を採用可能である。例えば、ヒストグラムが平坦になるように、各画素のＲ階調値を、Ｒの昇順に修正すればよい。
【００３４】
次に、オーダーシート作成部６６０は、シアンのモノトーン画像データのＲ成分の階調値分布をハイライトバンドに圧縮することによって、背景画像データＢＰＭＤ（図２）を生成する（図５（Ｅ））。ハイライトバンドは、最も明るい所定の一部の範囲を意味している（例えば、階調値の最大値が２５５の場合に、２００以上の範囲）。これにより、背景画像データＢＰＭＤは、明るいシアン色範囲内の色によって表される。この明るいシアン色範囲は、明度が所定値よりも低い色範囲と、色相がシアン色とは異なる色範囲との全体を、全色範囲から除いた残りの色範囲である。なお、階調値分布の圧縮方法としては、種々の方法を採用可能である。例えば、上述の平坦化と同じ方法を採用してもよい。
【００３５】
階調値分布を平坦化する理由は、背景画像データＢＰＭＤによって表される背景画像ＢＰＭの空間構成（形状やパターン等）に関する視認性を向上させるためである。階調値分布の圧縮によって画像中の階調値変化が小さくなるので、空間構成に関する視認性が低下する。そこで、階調値分布を平坦化すれば、階調値の変化が過剰に小さい領域が画像中に生じることを抑制できる。ただし、このような平坦化を省略してもよい。
【００３６】
図３の次のステップＳ１２０では、オーダーシート作成部６６０（図１）は、オーダーシート画像（テンプレート画像）に背景画像ＢＰＭを貼り付ける。図６は、オーダーシートテンプレートデータＯＳＴＤを示す説明図である（以下「テンプレートデータＯＳＴＤ」とも呼ぶ）。このテンプレートデータＯＳＴＤは、オーダーシートＯＳのテンプレート画像を表している。このテンプレート画像は、背景画像を貼り付けるための画像領域ＰＩＡと、画像処理の設定を書き込むための設定領域ＳＡと、を含んでいる。なお、テンプレートデータＯＳＴＤは、予め、ＲＯＭ８００（図１）に格納されている。
【００３７】
図６の実施例では、設定領域ＳＡは、マークセンシング方式の書き込み領域である。この設定領域ＳＡでは、「品質」と「用紙」と「用紙サイズ」と「枚数（印刷枚数）」と「濃度」との５つの設定項目の設定を、所定の選択肢から選択することができる。「品質」の選択肢は、「きれい」と「普通」と「エコノミー」とである。「用紙」の選択肢は、「普通紙」と「写真用紙」とである。「用紙サイズ」の選択肢は、「Ａ４」と「Ｌ」と「２Ｌ」とである。「枚数」の選択肢は「１枚」と「２枚」と「３枚」とである。「濃度」の選択肢は「薄い」から「濃い」までの５段階である。各選択肢のためのマークＭＫは、設定領域ＳＡ内の所定位置に、それぞれ配置されている。
【００３８】
なお、テンプレート画像は、オーダーシートＯＳ内の位置の基準を示す基準マークを含んでいる（図示せず）。オーダーシートＯＳの各要素（例えば、画像領域ＰＩＡとマークＭＫ）のオーダーシートＯＳ内での位置は、この基準マークに従って特定される。
【００３９】
図３のステップＳ１２０では、オーダーシート作成部６６０（図１）は、このテンプレートデータＯＳＴＤと背景画像データＢＰＭＤとを合成することによって、オーダーシートデータＯＳＤを生成する。図７は、オーダーシートデータＯＳＤを示す説明図である。図示するように、画像領域ＰＩＡに背景画像ＢＰＭが割り付けられている。
【００４０】
次のステップＳ１３０では、オーダーシート作成部６６０（図１）は、オーダーシートＯＳを印刷する。オーダーシート作成部６６０は、オーダーシートデータＯＳＤをプリンタ制御部６１０に供給する。プリンタ制御部６１０は、オーダーシートデータＯＳＤを印刷データに変換し、印刷データをプリンタ３００に供給する。プリンタ３００は、受信した印刷データに従ってオーダーシートＯＳを印刷する。なお、本実施例では、オーダーシートＯＳは、所定の印刷用紙（例えば、Ａ４サイズの普通紙）を利用して印刷される。
【００４１】
図８は印刷されたオーダーシートＯＳを示す説明図である。ユーザは、このオーダーシートＯＳ上に、画像処理に利用される種々の情報を書き込むことができる。例えば、ユーザは、設定領域ＳＡ内のマークＭＫを筆記具ＰＮで塗りつぶすことによって、各設定項目の好みの設定を指定することができる。図８の例では、「品質」が「きれい」に設定され、さらに、「用紙」が「普通紙」に、「用紙サイズ」が「Ｌ」に、「枚数」が「３枚」に、「濃度」が「濃いから２番目」に、それぞれ設定されている。
【００４２】
さらに、ユーザは、画像領域ＰＩＡ上の書き込みによって、対象領域を指定することができる。対象領域は、画像の種類に応じた画像処理の対象として利用される領域を意味している。本実施例では、画像領域ＰＩＡ上に書き込まれた閉曲線で囲まれた領域が、対象領域として利用される。図８の例では、３つの閉曲線によって３つの対象領域Ａ１、Ａ２、Ａ３が、それぞれ指定されている。第１領域Ａ１は、図４の第１領域ＴＸＴ１を含み、第２領域Ａ２は、図４の第２領域ＴＸＴ２を含み、第３領域Ａ３は、図４の第３領域ＰＨを含んでいる。なお、画像領域ＰＩＡには背景画像ＢＰＭが印刷されている。従って、ユーザは、好みの対象（例えば、文字や写真）を筆記具ＰＮで囲むことによって、容易に対象領域を指定することができる。
【００４３】
図９は、対象画像印刷処理の手順を示すフローチャートである。この処理は、図３のオーダーシート印刷処理に続けて実行される。最初のステップＳ２００では、スキャナ制御部６２０（図１）は、スキャナ２００を制御することによって、オーダーシートＯＳをスキャンする。スキャンされるオーダーシートＯＳには、図８に示すように、種々の情報がユーザによって書き込まれている。スキャナ制御部６２０は、スキャンによって、このオーダーシートＯＳを表すスキャンオーダーシートデータＷＯＳＤ（図２）を取得する。スキャナ制御部６２０は、オーダーシートＯＳのスキャンを、ユーザの指示に応答して開始する（例えば、図示しないスキャンボタンの押下）。そして、スキャナ制御部６２０は、生成したデータＷＯＳＤを、オーダーシート読み取り部６４０に供給する。
【００４４】
図９の次のステップＳ２１０では、オーダーシート読み取り部６４０（図１）は、スキャンオーダーシートデータＷＯＳＤ（図２）の解析によって、設定領域ＳＡ（図８）への書き込みを表す情報（マークＭＫの塗りつぶしを表す情報）を検出し、検出結果に従って各設定項目の設定を特定する。各設定項目の設定は、塗りつぶされたマークＭＫのオーダーシートＯＳ内での位置に従って特定される。オーダーシート読み取り部６４０は、特定した設定を画像処理部６３０とオーダーシート読み取り部６４０とに供給する。本実施例では、「品質」の設定が画像処理部６３０に利用され、「品質」と「用紙」と「用紙サイズ」と「枚数」と「濃度」とのそれぞれの設定がプリンタ制御部６１０に利用される。
【００４５】
次のステップＳ２２０では、画像処理部６３０（図１）は、スキャン画像データＰＭＤ（図２）に対する画像処理の実行によって、処理済画像データＡＰＭＤを生成する。この処理の詳細については、後述する。
【００４６】
次のステップＳ２３０では、画像処理部６３０（図１）は、処理済画像データＡＰＭＤに対する背景除去処理を実行する。この背景除去処理は、背景に相当する領域に生じたノイズを低減する処理である。このようなノイズとしては、例えば、本来は白であるべき背景に生じた薄いグレー色の領域等がある。このようなノイズを低減する処理としては、種々の処理を採用可能である。例えば、彩度が所定の彩度閾値よりも低く、かつ、明度が所定の明度閾値よりも高い画素の色を、白色に変換する処理を採用可能である。なお、このような背景除去処理を省略してもよい。
【００４７】
次のステップＳ２４０では、画像処理部６３０（図１）は、処理済画像データＡＰＭＤ（図２）によって表される出力画像ＰＭＣを印刷する。画像処理部６３０は、処理済画像データＡＰＭＤをプリンタ制御部６１０に供給する。プリンタ制御部６１０は、図９のステップＳ２１０で特定された設定に従って、処理済画像データＡＰＭＤを印刷データに変換する。
【００４８】
まず、プリンタ制御部６１０は、「濃度」の設定に従って、処理済画像データＡＰＭＤのＲ、Ｇ、Ｂの各色成分に対するトーンカーブ調整を実行する（ガンマ補正とも呼ばれる）。「濃度」の設定が濃いほど、入力値に対する出力値が大きくなる。
【００４９】
次に、プリンタ制御部６１０は、「用紙」の設定に対応付けられたルックアップテーブルを参照することによって、トーンカーブ調整が施された画像データＡＰＭＤを、インク量で表された印刷データに変換する。ルックアップテーブルは、予めＲＯＭ８００に格納されたテーブルであり、画像データが表す色とインク量との対応関係を定めている。このような対応関係は、画像データが表す色と印刷結果が示す色との対応関係が適切な関係になるように、印刷用紙毎に予め実験的に決定されている。さらに、プリンタ制御部６１０は、「品質」が「エコノミー」に設定されている場合には、他の場合（「きれい」「普通」）と比べてインク量を低減する。また、プリンタ制御部６１０は、「用紙サイズ」の設定に従って、印刷データを生成する。
【００５０】
プリンタ制御部６１０（図１）は、生成した印刷データをプリンタ３００に供給する。そして、プリンタ制御部６１０は、「枚数」の設定だけ印刷を繰り返すように、プリンタ３００に指示を供給する。プリンタ３００は、受信した印刷データと指示とに従って、出力画像ＰＭＣを印刷する。
【００５１】
図１０は、図９のステップＳ２２０で実行される領域別画像処理の詳細な手順を示すフローチャートである。最初のステップＳ３００では、オーダーシート読み取り部６４０（図１）は、画像領域ＰＩＡ（図８）に書き込まれた閉領域（閉曲線）の内の１つを検出する。この検出は、スキャンオーダーシートデータＷＯＳＤ（図２）を解析することによって行われる。オーダーシート読み取り部６４０は、所定の書き込み色範囲内の色を示す画素が連結することによって形成された閉曲線を検出する。
【００５２】
書き込み色範囲は、筆記具ＰＮ（図８）による書き込みのスキャン結果が示す色の範囲を示している。このような書き込み色範囲としては、予め実験的に設定された色範囲が利用される。筆記具ＰＮの色は、背景画像ＢＰＭが示す色とは異なる色に予め設定されている（例えば、黒色や赤色）。そして、書き込み色範囲は、背景画像ＢＰＭのスキャン結果が示す色の範囲とは異なる色の範囲を示すように、予め設定されている。本実施例では、明度が第１所定値よりも低い色範囲と、シアン色との色相差が第２所定値よりも大きな色範囲との全体が、書き込み色範囲として利用される。なお、背景画像ＢＰＭが示す色としては、種々の色を採用可能である。書き込みの色についても同様である。いずれの場合も、書き込みの色の色相と彩度と明度の少なくとも一部が、背景画像ＢＰＭが示す色と異なることが好ましい。なお、書き込み色範囲の色を示す画素を利用して書き込みを検出するという方法は、設定領域ＳＡの解析にも適用可能である。
【００５３】
なお、オーダーシート読み取り部６４０（図１）は、所定の色範囲を利用する代わりに、オーダーシートＯＳのスキャン結果に従って書き込み色範囲を決定してもよい。例えば、オーダーシート作成部６６０は、オーダーシートＯＳ上に、背景画像ＢＰＭが示す色範囲を表すカラーパッチを印刷してもよい。そして、オーダーシート読み取り部６４０は、このカラーパッチのスキャン結果に従って、書き込み色範囲を決定してもよい（色の全範囲から背景画像ＢＰＭの色範囲を除いた残りの色範囲を、書き込み色範囲として採用すればよい）。
【００５４】
図１０の次のステップＳ３１０では、領域判定部６５０（図１）は、検出された閉曲線で囲まれた閉領域内における明度分布を算出する。領域判定部６５０は、スキャナバッファ７１０に格納されたスキャン画像データＰＭＤから閉領域を表す画素を読み出し、読み出した画素から明度分布を算出する。図１１は、明度分布の例を示す説明図である。横軸は明度を示し、縦軸は頻度を示している。第１グラフＧ１は、典型的な文字領域の明度分布を示し、第２グラフＧ２は、典型的な写真領域の明度分布を示している。第１グラフＧ１が示すように、文字を表す領域の明度分布は、背景を表す明るい大きなピークを含む。一方、第２グラフＧ２が示すように、写真を表す領域の明度分布は、過剰に大きなピークを含まず、また、ピーク値Ｐ２は、文字領域のピーク値Ｐ１と比べて低い。写真やイラスト等の絵を表す領域の明度分布は、第２グラフＧ２のように、なだらかであることが多い。
【００５５】
図１０の次のステップＳ３２０では、領域判定部６５０（図１）は、算出した明度分布に従って、閉領域が文字を表すか否かの判定を行う。図１２は、図１０のステップＳ３２０で実行される領域判定処理の手順を示すフローチャートである。最初のステップＳ３２２では、領域判定部６５０（図１）は、明度分布のピーク値が所定の閾値Ｌｔｈ＿ｄ以上か否かを判定する。ピーク値が閾値Ｌｔｈ＿ｄよりも小さい場合には、領域判定部６５０は、閉領域は文字領域では無いと判断する。
【００５６】
次のステップＳ３２４では、領域判定部６５０は、ピーク周辺の画素数割合が所定の割合閾値Ｒｔｈ以上か否かを判定する。ピーク周辺の画素数割合は、全画素数に対する、ピーク値との明度差が所定値以下の画素の総数の割合である。この画素数割合は、閉領域内での割合である。図１１では、ピーク周辺の画素を示す部分にハッチングが付されている。画素数割合が割合閾値Ｒｔｈ以上である場合には、領域判定部６５０は、閉領域が文字領域であると判断する。画素数割合が割合閾値Ｒｔｈよりも小さい場合には、領域判定部６５０は、閉領域は文字領域では無いと判断する。
【００５７】
閉領域が文字領域であると判定された場合には、処理は、図１０のステップＳ３４０に移行する。図１３は、ステップＳ３４０で実行される画像処理の手順を示すフローチャートである。最初のステップＳ４００では、画像処理部６３０（図１）は、スキャン画像データＰＭＤの閉領域に対するシャープネス強調処理を実行する。これにより、閉領域内の文字がシャープになる。シャープネスを強調する方法としては、周知の種々の方法を採用可能である。
【００５８】
次のステップＳ４１０では、画像処理部６３０（図１）は、スキャン画像データＰＭＤの閉領域に対する文字色変換処理を実行する。本実施例では、画像処理部６３０は、明度が所定の文字閾値Ｌｔｈ＿ｔｘｔ以下の画素の色を黒に設定する。これにより、閉領域内の黒に近い色で表された文字を、黒色で再現することができる。さらに、画像処理部６３０は、このような画素を、カラーインクのコンポジットを利用せずにブラックインクを利用して印刷するように、プリンタ制御部６１０に指示してもよい。
【００５９】
図１４は、文字閾値Ｌｔｈ＿ｔｘｔと「品質」の設定との対応関係を示すグラフである。画像処理部６３０は、この対応関係に従って「品質」の設定から文字閾値Ｌｔｈ＿ｔｘｔを決定する。「品質」が「きれい」に設定された場合には、文字閾値Ｌｔｈ＿ｔｘｔが比較的大きな値に設定される。その結果、文字が薄いグレーで印刷されることが抑制されるので、印刷された文字がぼやけて見えることを抑制できる。一方、「品質」が「普通」に設定された場合には、文字閾値Ｌｔｈ＿ｔｘｔが比較的小さな値に設定される。その結果、文字の色を過剰に変えることを抑制できる。なお、図１４の実施例では、「普通」と「エコノミー」との間で、文字閾値Ｌｔｈ＿ｔｘｔが同じ値に設定されている。
【００６０】
一方、閉領域が文字領域では無いと判定された場合には、処理は、図１０のステップＳ３３０に移行する。図１５は、ステップＳ３３０で実行される画像処理の手順を示すフローチャートである。この画像処理は、絵領域（イラスト・写真）に適した画像処理である。最初のステップＳ５００では、画像処理部６３０（図１）は、スキャン画像データＰＭＤの閉領域に対する彩度強調処理を実行する。本実施例では、画像処理部６３０は、閉領域内の各画素の彩度に係数（彩度強調パラメータＳｐ）を乗じることによって、彩度を大きな値に変換する。
【００６１】
図１６は、彩度強調パラメータＳｐと「品質」の設定との対応関係を示すグラフである。画像処理部６３０は、この対応関係に従って「品質」の設定から彩度強調パラメータＳｐを決定する。「品質」が「きれい」に設定された場合には、彩度強調パラメータＳｐが比較的大きな値に設定される。その結果、写真やイラスト等の絵を鮮やかに印刷することができる。一方、「品質」が「普通」に設定された場合には、彩度強調パラメータＳｐが比較的小さい値に設定される。その結果、写真やイラスト等の絵の色（彩度）を過剰に変えることを抑制できる。なお、図１６の実施例では、「普通」と「エコノミー」との間で、彩度強調パラメータＳｐが同じに設定されている。また、「きれい」に対応付けられた彩度強調パラメータＳｐは１よりも大きな値に設定される。「普通」に対応付けられた彩度強調パラメータＳｐは、１よりも大きなことが好ましいが、１以下であってもよい。
【００６２】
図１５の次のステップＳ５１０では、領域判定部６５０（図１）は、スキャン画像データＰＭＤの解析によって、閉領域が網点画像を表しているか否かを判定する。判定方法としては、周知の種々の方法を採用可能である。例えば、特開２００２−２５２７５６号公報に記載の判定方法を採用可能である。
【００６３】
閉領域が網点画像を表していると判定された場合には、画像処理部６３０（図１）は、次のステップＳ５２０で、閉領域に対する平滑化処理を実行する。これにより、網点画像をスキャンすることによって生じるモアレ等のノイズを低減することができる。平滑化の方法としては、周知の種々の方法を採用可能である。例えば、ガウシアンフィルタ等のぼかしフィルタを利用する方法を採用可能である。
【００６４】
閉領域が網点画像を表していないと判定された場合には、画像処理部６３０（図１）は、次のステップＳ５３０で、閉領域に対するシャープネス強調処理を実行する。これにより、ぼやけた画像が印刷されることを抑制できる。なお、ステップＳ５３０でのシャープネス強調の強度は、図１３のステップＳ４００でのシャープネス強調の強度よりも弱い値に設定される。これにより、写真やイラスト等の絵が過剰にシャープに印刷されることを抑制できる。
【００６５】
図１０のステップＳ３３０、Ｓ３４０の処理が完了したことに応じて、オーダーシート読み取り部６４０（図１）は、次の閉領域を検出する（Ｓ３５０）。そして、未処理の閉領域が検出された場合には、オーダーシート読み取り部６４０は、処理をステップＳ３１０に移行させる。全ての閉領域の処理が完了した場合には、図１０の処理が完了する。以上のように、ステップＳ３１０、Ｓ３２０、Ｓ３３０、Ｓ３４０の一連の処理は、閉領域毎に繰り返し実行される。
【００６６】
なお、上述の画像処理で利用された種々の閾値や所定値は、予め実験的に決定すればよい（例えば、閾値Ｌｔｈ＿ｄ、文字閾値Ｌｔｈ＿ｔｘｔ、割合閾値Ｒｔｈ、彩度強調パラメータＳｐ）。
【００６７】
以上のように、本実施例では、オーダーシートＯＳの画像領域ＰＩＡに書き込まれた閉曲線によって対象領域（閉領域）が特定され、そして、スキャン画像データＰＭＤの解析によって各対象領域の画像の種類が自動的に判定される。そして、判定された画像種類毎に異なる画像処理が各対象領域に対して実行される。その結果、ユーザの意図しない領域が画像処理の対象として利用されることを抑制できる。さらに、画像種類の判定のためのユーザの負担を大幅に軽減することができる。これらの結果、画像処理を実行する際のユーザの負担を軽減することができる。特に、画像中の１以上の対象領域のそれぞれに対して画像処理を実行するための負担を大幅に軽減できる。
【００６８】
また、１枚のオーダーシートＯＳに対する書き込みによって、対象領域と画像処理の設定との両方が指定されるので、ユーザの負担を軽減することができる。特に、対象領域毎の画像処理に利用される設定と、印刷に関する設定（例えば、用紙の種類や、用紙サイズや、印刷枚数や、濃度）との両方を１枚のオーダーシートで指定できるので、ユーザの負担を大幅に軽減することができる。
【００６９】
また、１つの設定項目（品質）の設定に従って、文字領域の画像処理で利用されるパラメータＬｔｈ＿ｔｘｔと、非文字領域（網点領域と非網点領域を含む）の画像処理で利用されるパラメータＳｐとの両方が決定される。その結果、ユーザは、複数の画像処理のそれぞれによって独立に利用される複数のパラメータを容易に指定することができる。ただし、１つの設定項目の設定に従って、１つの画像種類のための画像処理の設定が指定されてもよい。
【００７０】
また、背景画像ＢＰＭ（図８）は、所定の除外色範囲を除く残りの色範囲内の色で表されており、オーダーシートＯＳに対する書き込みには、背景画像ＢＰＭが示す色とは異なる色が利用されるので、ユーザは、容易に、背景画像ＢＰＭと書き込みとを区別することができる。また、オーダーシート読み取り部６４０（図１）も、容易に、背景画像ＢＰＭと書き込みとを区別することができる。
【００７１】
Ｂ．第２実施例：
図１７は、オーダーシートの別の実施例を示す説明図である。図８に示すオーダーシートＯＳとの差異は、設定領域ＳＡａ内の所定位置に、文字を書き込むための文字枠ＮＡ内が印刷されている点だけである。「枚数」の設定は、文字枠ＮＡ内に書き込まれた文字（数字）によって指定される。オーダーシート読み取り部６４０（図１）は、書き込みを文字として認識することによって、印刷枚数を特定する。他の設定項目の設定は、図８の実施例と同様に、マークセンシングによって特定される。文字認識の方法としては、周知の種々の方法を採用可能である。なお、一般には、画像処理の設定を特定するために利用される設定指定情報としては、マークの塗りつぶしや文字を表す情報に限らず、設定を特定可能な種々の情報を採用可能である。例えば、オーダーシート上に印刷された複数の選択肢の内の１つを囲む閉曲線を採用してもよい。
【００７２】
Ｃ．第３実施例：
図１８は、第３実施例における画像処理装置１００ｂを示す説明図である。図１に示す画像処理装置１００との差異は、ディスプレイ９００が追加されている点だけである。ディスプレイ９００は、制御部５００に接続されている。ディスプレイ９００としては、液晶ディスプレイや有機ＥＬディスプレイ等の種々のディスプレイを採用可能である。
【００７３】
第３実施例では、画像処理は、上述の各実施例と同様に実行される。ただし、領域判定部６５０（図１８）は、出力画像ＰＭＣの印刷の前に、確認画面をディスプレイ９００に表示する。図１９は、確認画面を示す説明図である。この確認画面は、対象領域を表す画像と、その領域の画像種類の判定結果との組合せを表している。ユーザは、この確認画面によって、対象領域と判定結果とを確認することができる。ここで、領域判定部６５０は、対象領域と判定結果との少なくとも一方の修正をユーザに許容することが好ましい。領域判定部６５０は、ユーザからの修正指示を、操作パネル４００を介して受け取ればよい。
【００７４】
なお、確認画面を表示するタイミングとしては、オーダーシートをスキャンした後であって、出力画像ＰＭＣを印刷する前の任意のタイミングを採用可能である。また、領域判定部６５０（図１８）が全ての閉領域の判定を完了した後に、画像処理部６３０が、領域毎の画像処理を開始してもよい。この場合には、領域判定部６５０は、画像処理部６３０による画像処理の開始前に、確認画面をディスプレイ９００に表示すればよい。そして、領域判定部６５０は、ユーザによる確認に応答して、判定を完了すればよい。ユーザの確認は、操作パネル４００を介して、領域判定部６５０に供給される。
【００７５】
Ｄ．変形例：
なお、上記各実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能であり、例えば次のような変形も可能である。
【００７６】
変形例１：上述の各実施例において、「オーダーシートコピーモード」が選択された場合に限らず、コピーを行う場合には、コピー完了後（印刷完了後）も、スキャナ制御部６２０（図１、図１８）が、最後のスキャンによって生成されたスキャン画像データＰＭＤをスキャナバッファ７１０に保持することが好ましい。そして、ユーザから「オーダーシート印刷」指示が入力されたことに応答して、オーダーシート作成部６６０は、スキャナバッファ７１０に格納されたスキャン画像データＰＭＤを利用したオーダーシートを印刷することが好ましい。こうすれば、ユーザは、コピー結果（印刷結果）が望ましいものではない場合に、再度のスキャン無しで、オーダーシートを利用したコピーを利用することができる。
【００７７】
変形例２：上述の各実施例において、減色処理や閉曲線（閉領域）の検出処理としては、種々の処理を採用可能である。例えば、特開２００６−３５２５２６号公報に記載の処理を採用してもよい。
【００７８】
変形例３：上述の各実施例において、オーダーシートに対する書き込みによって指定される画像処理の設定としては、種々の設定を採用可能である。例えば、画像全体に対して実行される画像処理（例えば、画像全体の明るさやコントラストの調整）の設定を採用してもよい。一般には、任意の画像処理の設定を採用可能である。また、上述の各実施例において、一部、あるいは、全部の画像種類のための画像処理の設定が、オーダーシートＯＳを利用せずに、操作パネル４００に入力されたユーザ指示に従って決定されてもよい。同様に、印刷に関する設定の少なくとも一部が、操作パネル４００に入力されたユーザ指示に従って決定されてもよい。また、設定領域ＳＡ、ＳＡａ（図８、図１７）を省略してもよい。
【００７９】
変形例４：上述の各実施例において、文字領域の画像処理としては、図１３に示す処理に限らず、種々の処理を採用可能である。例えば、画像処理部６３０（図１、図１８）は、閉領域内の複数の画素を、文字を表す画素と背景を表す画素に分類し、文字を表す画素の色を単一の文字代表色に設定してもよい。さらに、背景を表す画素の色を単一の背景代表色に設定してもよい。文字代表色としては、文字を表す複数の画素の平均色、最頻色等の種々の代表色を採用可能である。背景代表色についても同様である。
【００８０】
また、上述の各実施例において、非文字と判定された領域の画像処理としては、図１５に示す処理に限らず、種々の処理を採用可能である。例えば、記憶色調整処理を採用してもよい。また、図１５の処理からステップＳ５１０、Ｓ５２０、Ｓ５３０を省略してもよい。
【００８１】
また、上述の各実施例において、網点と判定された領域の画像処理としては、彩度強調と平滑化に限らず、種々の処理を採用可能である（例えば、明るさ調整）。また、非網点と判定された領域の画像処理としては、彩度強調とシャープネス強調に限らず、種々の処理を採用可能である（例えば、コントラスト強調）。
【００８２】
変形例５：上述の各実施例において、領域指定情報としては、閉曲線を表す情報に限らず、対象領域と他の領域とを区別する種々の情報を採用可能である。例えば、閉じていない曲線を表す情報を採用してもよい。この場合には、その曲線の両端を直線で繋いで得られる閉領域を対象領域として採用すればよい。また、塗りつぶされた領域を表す情報を採用してもよい。この場合は、塗りつぶされた領域を対象領域として採用すればよい。
【００８３】
変形例６：上述の各実施例において、対象領域毎の画像処理によって生成された画像データ（処理済画像データＡＰＭＤ）の用途としては、印刷に限らず、種々の用途を採用可能である。例えば、画像処理部６３０（図１、図１８）は、処理済画像データＡＰＭＤを格納する画像データファイルを生成し、生成したデータファイルをユーザに提供してもよい。なお、印刷部としては、インクジェットプリンタやレーザプリンタ等の種々の印刷装置を採用可能である。
【００８４】
変形例７：上述の各実施例において、領域判定部６５０（図１、図１８）によって判定される画像種類としては、種々の種類を採用可能である。例えば、網点領域と非網点領域との２種類の中から画像種類が選択されてもよい。また、文字領域と非文字領域との２種類の中から画像種類が選択されてもよい。ここで、図１５に示す実施例のように、非文字領域と判定された領域を、さらに、網点領域と非網点領域とのいずれかに分類することが好ましい。こうすれば、処理済画像データＡＰＭＤの画質を更に高めることができる。一般には、文字領域か否かの判定と、網点領域か否かの判定との少なくとも一方を利用して、画像種類を判定することが好ましい。いずれの場合も、画像種類の判定方法としては、種々の方法を採用可能である。
【００８５】
また、画像種類毎に実行される画像処理としては、シャープネス強調、彩度強調、平滑化に限らず、種々の処理を採用可能である。例えば、記憶色調整処理を採用してもよい。また、画質を調整する処理に限らず、他の処理を採用してもよい。例えば、データ圧縮処理を採用してもよい。例えば、スキャン画像データＰＭＤを、文字領域と写真領域と背景領域とに分離し、各領域毎に異なる圧縮率でデータを圧縮してもよい。一般には、判定された画像種類毎に異なる画像処理が実行されることが好ましい。ここで、「画像処理が異なる」とは、処理手順が異なることと、処理手順は同じであるが処理に利用されるパラメータ（例えば、強度や圧縮率）が異なることとを含む概念を意味している。
【００８６】
変形例８：上述の各実施例において、対象画像データとしては、スキャナ２００によって生成された画像データに限らず、種々の画像データを採用可能である。例えば、画像処理装置１００、１００ｂ（図１、図１８））は、着脱可能なメモリカードや、ネットワークを介して接続された他の装置から対象画像データを取得してもよい。いずれの場合も、対象物の光学的読み取りによって生成された画像データの処理に要するユーザの負担は大きい場合が多い。そこで、このような画像データを採用すれば、ユーザの負担軽減の効果が顕著である。なお、光学的に画像を読み取る画像読み取り部としては、いわゆるスキャナに限らず、デジタルカメラ等の種々の装置を採用可能である。
【００８７】
変形例９：上述の各実施例において、設定領域ＳＡ、ＳＡａ（図８、図１７）における共通の１つの設定項目の設定に従って画像処理パラメータが決まる複数の画像種類としては、文字領域と非文字領域（網点領域と非網点領域を含む）に限らず、種々の画像種類を採用可能である。例えば、網点領域の画像処理で利用されるパラメータ（例えば、平滑化の強度）と非網点領域の画像処理で利用されるパラメータ（例えば、シャープネス強調の強度）とが、共通の１つの設定項目の設定に従って決定されてもよい。また、このような共通の１つの設定項目に対応付けられた複数の画像種類の総数としては、２以上の任意の数を採用可能である。
【００８８】
変形例１０：上述の各実施例において、背景画像ＢＰＭと書き込みとを区別する方法としては、色を変える方法に限らず、種々の方法を採用可能である。例えば、以下のように線の太さによる区別も可能である。すなわち、元の画像から抽出されたエッジ線を細線によって表すエッジ画像を背景画像ＢＰＭとして採用し、そして、その細線よりも太い線を書き込みとして採用してもよい。
【００８９】
変形例１１：上記各実施例において、ハードウェアによって実現されていた構成の一部をソフトウェアに置き換えるようにしてもよく、逆に、ソフトウェアによって実現されていた構成の一部あるいは全部をハードウェアに置き換えるようにしてもよい。例えば、図１の領域判定部６５０の機能を、論理回路を有するハードウェア回路によって実現してもよい。
【００９０】
また、本発明の機能の一部または全部がソフトウェアで実現される場合には、そのソフトウェア（コンピュータプログラム）は、コンピュータ読み取り可能な記録媒体に格納された形で提供することができる。この発明において、「コンピュータ読み取り可能な記録媒体」とは、フレキシブルディスクやＣＤ−ＲＯＭのような携帯型の記録媒体に限らず、各種のＲＡＭやＲＯＭ等のコンピュータ内の内部記憶装置や、ハードディスク等のコンピュータに固定されている外部記憶装置も含んでいる。
【図面の簡単な説明】
【００９１】
【図１】本発明の一実施例としての画像処理装置を示す説明図である。
【図２】画像処理装置１００（図１）によって実行される画像処理の概略図である。
【図３】オーダーシート印刷処理の手順を示すフローチャートである。
【図４】原稿ＰＭの一例を示す説明図である。
【図５】減色処理の概要を表すヒストグラムである。
【図６】オーダーシートテンプレートデータＯＳＴＤを示す説明図である。
【図７】オーダーシートデータＯＳＤを示す説明図である。
【図８】印刷されたオーダーシートＯＳを示す説明図である。
【図９】対象画像印刷処理の手順を示すフローチャートである。
【図１０】領域別画像処理の詳細な手順を示すフローチャートである。
【図１１】明度分布の例を示す説明図である。
【図１２】領域判定処理の手順を示すフローチャートである。
【図１３】ステップＳ３４０の画像処理の手順を示すフローチャートである。
【図１４】文字閾値Ｌｔｈ＿ｔｘｔと「品質」との対応関係を示すグラフである。
【図１５】ステップＳ３３０の画像処理の手順を示すフローチャートである。
【図１６】彩度強調パラメータＳｐと「品質」との対応関係を示すグラフである。
【図１７】オーダーシートの別の実施例を示す説明図である。
【図１８】第３実施例における画像処理装置１００ｂを示す説明図である。
【図１９】確認画面を示す説明図である。
【符号の説明】
【００９２】
１００、１００ｂ…画像処理装置
２００…スキャナ
３００…プリンタ
４００…操作パネル
５００…制御部
６００…ＣＰＵ
６１０…プリンタ制御部
６２０…スキャナ制御部
６３０…画像処理部
６４０…オーダーシート読み取り部
６５０…領域判定部
６６０…オーダーシート作成部
７００…ＲＡＭ
７１０…スキャナバッファ
７２０…印刷用バッファ
８００…ＲＯＭ
９００…ディスプレイ
【図１】
2009081631.tif 000003
【図２】
2009081631.tif 000004
【図３】
2009081631.tif 000005
【図４】
2009081631.tif 000006
【図５】
2009081631.tif 000007
【図６】
2009081631.tif 000008
【図７】
2009081631.tif 000009
【図８】
2009081631.tif 000010
【図９】
2009081631.tif 000011
【図１０】
2009081631.tif 000012
【図１１】
2009081631.tif 000013
【図１２】
2009081631.tif 000014
【図１３】
2009081631.tif 000015
【図１４】
2009081631.tif 000016
【図１５】
2009081631.tif 000017
【図１６】
2009081631.tif 000018
【図１７】
2009081631.tif 000019
【図１８】
2009081631.tif 000020
【図１９】
2009081631.tif 000021